(57)【要約】【課題】本発明は放電生成物発生装置に関するもので、放電生成物発生装置の回路部品と充電池との発熱の影響を抑制し、耐久性の更なる向上ができるものである。【解決手段】そしてこの目的を達成するために本発明は、充放電手段４は、本体ケース１が内方へ窪んだ収納部１６に設けられ、この収納部１６には、収納部１６と本体ケース１内とを連通する連通孔１７を備え、充放電手段４は、充電池１４と、充電池１４と回路基板部５とを電気的に接続する充電池側接続部１８とからなり、回路基板部５は、複数の回路部品と、充電池側接続部１８と回路基板部５とを電気的に接続する回路基板側接続部１９と、この回路基板側接続部１９と回路部品を装着した基板部２０とからなり、連通孔１７から回路基板側接続部１９が収納部１６内に突出すると共に、連通孔１７は、回路基板部５と、送風部２９から伸びた平板形状の遮蔽板２１とによって塞がれる。【選択図】図２
2014033759.tif 000002
【特許請求の範囲】
【請求項１】
吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部とを備え、前記充放電手段は、前記本体ケースの長手方向の一方側側面において前記本体ケースが内方へ窪んだ収納部に設けられ、この収納部には、前記収納部と前記本体ケース内とを連通する連通孔と、前記収納部に前記充放電手段を収納した状態で前記収納部を覆う収納蓋部とを備え、前記充放電手段は、充放電する充電池と、前記充電池と前記回路基板部とを電気的に接続する充電池側接続部とからなり、前記回路基板部は、複数の回路部品と、前記充電池側接続部と前記回路基板部とを電気的に接続する回路基板側接続部と、この回路基板側接続部と前記回路部品を装着した基板部とからなり、前記送風手段は、送風部と、この送風部から伸びた平板形状の遮蔽板とからなり、前記回路基板側接続部が前記連通孔から前記収納部内に突出すると共に、前記連通孔は、前記回路基板部と前記遮蔽板とによって塞がれることを特徴とする放電生成物発生装置。
【請求項２】
前記基板部は、前記本体ケースにおける前面側に設け、前記連通孔は、前記収納部の前記本体ケースにおける前面側に備え、前記充電池は、前記収納部の前記連通孔より前記本体ケースにおける背面側に設け、前記充電池と前記収納部との距離は、前記本体ケースにおける背面側より前記本体ケースにおける前面側が大きいことを特徴とする請求項１に記載の放電生成物発生装置。
【請求項３】
前記収納部の前記連通孔の近傍に前記本体ケースにおける内方へ窪んだ窪み部を備えた請求項１に記載の放電生成物発生装置。
【請求項４】
前記収納部の開口縁には、前記本体ケースにおける背面側の上部に前記本体ケースにおける背面側から前面側へ伸びる突起部を備え、前記充電池は、前記突起部と前記収納部との間に仮固定されることを特徴とする放電生成物発生装置。
【請求項５】
前記基板部は、四角形状の第１の基板部と、この第１の基板部の端部から外方へ伸びた第２の基板部とから形成し、この第２の基板部は、第１の基板部より面積が小さく、前記回路基板側接続部のみを装着したことを特徴とする請求項１から４のいずれかに記載の放電生成物発生装置。
【発明の詳細な説明】
【技術分野】
【０００１】
本発明は、高電圧を印加することにより放電生成物を生成し、除菌や脱臭を行なう放電生成物発生装置に関する。
【背景技術】
【０００２】
従来のこの種の放電生成物発生装置の構成は以下のようになっていた。
【０００３】
すなわち、吹出口と吸込口とを設けた箱形状の本体ケースと、この本体ケース内に吸込口から吹出口に送風する送風手段と、放電生成物を発生させる放電生成物発生手段と、印加電圧を制御する制御手段とを備えた構成となっていた。（例えば、これに類似する先行文献は下記特許文献１に記載されている。）
【先行技術文献】
【特許文献】
【０００４】
【特許文献１】特開２０１１−０３３３０４号公報
【発明の概要】
【発明が解決しようとする課題】
【０００５】
上記従来例における課題は、耐久性の更なる向上ということであった。
【０００６】
すなわち、放電生成物を生成する方法は、高電圧を発生させて放電させることが一般的である。この場合に、本体ケース内の回路部品からの発熱が大きくなる。ここで、充電池を搭載すると、充電池自身も発熱する。
【０００７】
このように、回路部品、および充電池が発熱するので、お互いが、お互いの発熱の影響で更に温度が上昇し、それぞれの耐久性が下る。
【０００８】
そこで本発明は、回路部品と充電池との発熱の影響を抑制し、耐久性の更なる向上を目的とするものである。
【課題を解決するための手段】
【０００９】
そしてこの目的を達成するために本発明は、吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部とを備え、前記充放電手段は、前記本体ケースの長手方向の一方側側面において前記本体ケースが内方へ窪んだ収納部に設けられ、この収納部には、前記収納部と前記本体ケース内とを連通する連通孔と、前記収納部に前記充放電手段を収納した状態で前記収納部を覆う収納蓋部とを備え、前記充放電手段は、充放電する充電池と、前記充電池と前記回路基板部とを電気的に接続する充電池側接続部とからなり、前記回路基板部は、複数の回路部品と、前記充電池側接続部と前記回路基板部とを電気的に接続する回路基板側接続部と、この回路基板側接続部と前記回路部品を装着した基板部とからなり、前記送風手段は、送風部と、この送風部から伸びた平板形状の遮蔽板とからなり、回路基板側接続部が前記連通孔から前記収納部内に突出すると共に、前記連通孔は、前記回路基板部と前記遮蔽板とによって塞がれる構成であり、これにより、初期の目的を達成するものである。
【発明の効果】
【００１０】
以上のように本発明は、吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部とを備え、前記充放電手段は、前記本体ケースの長手方向の一方側側面において前記本体ケースが内方へ窪んだ収納部に設けられ、この収納部には、前記収納部と前記本体ケース内とを連通する連通孔と、前記収納部に前記充放電手段を収納した状態で前記収納部を覆う収納蓋部とを備え、前記充放電手段は、充放電する充電池と、前記充電池と前記回路基板部とを電気的に接続する充電池側接続部とからなり、前記回路基板部は、複数の回路部品と、前記充電池側接続部と前記回路基板部とを電気的に接続する回路基板側接続部と、この回路基板側接続部と前記回路部品を装着した基板部とからなり、前記送風手段は、送風部と、この送風部から伸びた平板形状の遮蔽板とからなり、前記回路基板側接続部が前記連通孔から前記収納部内に突出すると共に、前記連通孔は、前記回路基板部と前記遮蔽板とによって塞がれる。これにより、回路部品と充電池との発熱の影響を抑制し、耐久性の更なる向上を目的とするものである。
【００１１】
すなわち、回路基板部は、複数の回路部品と、充電池側接続部と回路基板部とを電気的に接続する回路基板側接続部と、この回路基板側接続部と回路部品を装着した基板部とからなり、送風手段は、送風部と、この送風部から伸びた平板形状の遮蔽板とからなり、回路基板側接続部が連通孔から収納部内に突出すると共に、連通孔は、回路基板部と遮蔽板とによって塞がれる。
【００１２】
結果として、回路基板部と充電池とを連通する連通孔が、回路基板部と遮蔽部とによって塞がれるので、回路基板部の発熱によって暖められた空気が、連通孔を介して充電池へ流れ込むのを抑制すると共に、充電池の発熱によって暖められた空気が、連通孔を介して回路基板部へ流れ込むのを抑制し、回路部品と充電池との発熱の影響を抑制することができる。
【図面の簡単な説明】
【００１３】
【図１】本発明の実施の形態１の放電生成物装置の概略図
【図２】同放電生成物装置の概略断面を示す図
【図３】同放電生成物装置の前面ケース部の斜視図
【図４】同放電生成物装置の放電生成物部の斜視図
【図５】同放電生成物装置の放電生成物部の斜視図
【図６】同放電生成物装置の収納部の斜視図
【発明を実施するための形態】
【００１４】
以下、本実施形態を添付図面を用いて説明する。
【００１５】
（実施の形態１）
図１から図３に示すように、本実施形態の放電生成物発生装置は、本体ケース１と、送風手段２と、放電生成物発生手段３と、充放電手段４と、回路基板部５とからなる。
【００１６】
本体ケース１は、横長箱形状で、本体ケース１の天面側には吹出口６を有し、背面側には吸込口７を備えている。
【００１７】
送風手段２は、本体ケース１の吹出口６と吸込口７とを連通する風路内に設けられている。送風手段２によって、本体ケース１の吸込口７から本体ケース１内に吸い込まれた空気が、本体ケース１の吹出口６から本体ケース１外へ送風される。
【００１８】
放電生成物発生手段３は、本体ケース１の長手方向の一方側に位置する。放電生成物発生手段３は、放電生成物発生部８と回路部９とからなる。放電生成物発生部８は、後述するケーシング部２２の吐出口の近傍に位置し、連通路１０を介してケーシング部２２内と連通している。放電生成物発生部８は、図４、図５に示すように、放電電極１１と、この放電電極１１に対向して配置された対向電極１２とを有している。この放電電極１１を冷却する冷却部として配置したペルチェ素子１３を備えている。回路部９は、これらの対向電極１２と放電電極１１間に高電圧（この実施形態では−３．９ＫＶ）を印加するものである。
【００１９】
ペルチェ素子１３には０．７５Ｖ〜２．８Ｖ程度の電圧を印加するものであり、この実施形態では、放電電極１１側を低温にする。この放電電極１１部分で冷却されることで、結露すると、放電生成物の１例である帯電微粒子水が発生することになる。この帯電微粒子水中のヒドロキシルラジカルが臭いと反応し、それを酸化させることで、臭いを分解することができるのである。
【００２０】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００２１】
充放電手段４は、本体ケース１の長手方向の他方側の収納部１６内に位置する。この充放電手段４は、図２、図６に示すように、充電池１４と、充電池側接続部１８とからなる。充電池１４の１例は、ニッケル水素蓄電池である。充電池１４は、充電池側接続部１８によって、回路基板部５と電気的に接続されている。
【００２２】
回路基板部５は、回路部品（図示せず）と、回路基板側接続部１９と、基板部２０とからなる。基板部２０には、複数の回路部品と、回路基板側接続部１９とが装着されている。回路基板側接続部１９は、充電池側接続部１８と回路基板部５とを電気的に接続する。回路基板部５には、電源プラグ部３０が着脱自在に設けられている。この電源プラグ部３０の一方は、回路基板部５と電気的に接続し、他方を家庭用電源であるコンセントに繋ぐと、充電池１４に電気が充電される。この充電された充電池１４から、送風手段２と放電生成物発生手段３とに電圧を印加できる。収納部１６は、本体ケース１の長手方向の一方側側面において、本体ケース１が内方へ窪んだ形状である。この収納部１６には、収納部１６と本体ケース１内とを連通する連通孔１７と、収納部１６に充放電手段を収納した状態で収納部１６を覆う収納蓋部１５とを備えている。
【００２３】
送風手段は、図２に示すように、送風部２９と、この送風部２９から伸びた平板形状の遮蔽板２１とからなる。送風部２９は、ケーシング部２２と、このケーシング部２２に固定されたモータ部２３と、このモータ部２３によって回転する羽根部２４とからなり、モータ部２３の回転軸は、本体ケース１における前後方向に伸びたものである。
【００２４】
本実施形態における特徴点は、連通孔１７から回路基板側接続部１９が収納部１６内に突出すると共に、連通孔１７は、回路基板部５と遮蔽板２１とによって塞がれる点である。
【００２５】
これにより、回路部品と充電池１４との発熱の影響を抑制し、耐久性の更なる向上を目的とするものである。
【００２６】
すなわち、回路基板部５と充電池１４とを連通する連通孔１７が、回路基板部５と遮蔽板２１とによって塞がれるので、回路基板部５の発熱によって暖められた空気が、連通孔１７を介して充電池へ流れ込むのを抑制すると共に、充電池１４の発熱によって暖められた空気が、連通孔１７を介して回路基板部５へ流れ込むのを抑制し、回路部品と充電池１４との発熱の影響を抑制することができる。
【００２７】
基板部２０は、本体ケース１における前面側に設け、連通孔１７は、収納部１６の本体ケース１における前面側に備えている。充電池１４は、収納部１６の連通孔１７より本体ケース１における背面側に設けている。充電池１４と収納部１６との距離は、本体ケース１における背面側より本体ケース１における前面側が大きいことを特徴とする。具体的には、収納部１６の連通孔１７の近傍に本体ケース１における内方へ窪んだ窪み部２５を備えたものである。
【００２８】
すなわち、窪み部２５によって、充電池１４と収納部１６との距離は、本体ケース１における背面側より本体ケース１における前面側が大きい。つまり、充電池１４と収納部１６との距離は、基板部２０から遠い本体ケース１における背面側より、基板部２０に近い本体ケース１における前面側が大きいのである。
【００２９】
これにより、基板部２０の回路部品の発熱によって、収納部１６が暖められた場合には、収納部１６は、基板部２０に近い本体ケース１における前面側が、基板部２０から遠い本体ケース１における背面側より、上昇温度が高いが、充電池１４と収納部１６との距離は、基板部２０から遠い本体ケース１における背面側より、基板部２０に近い本体ケース１における前面側が大きいので、充電池１４の温度上昇を抑制できる。
【００３０】
窪み部２５には、充電池側接続部１８が入るので、収納部１６に充電池１４を装着しても、充電池側接続部１８が、収納部１６と充電池１４とに当たり、圧迫することを防止できる。
【００３１】
また、充電池１４の発熱によって、収納部１６が暖められた場合にも、収納部１６は、基板部２０に近い本体ケース１における前面側が、基板部２０から遠い本体ケース１における背面側より、上昇温度が小さいので、回路基板部５の温度上昇を抑制できる。
【００３２】
収納部１６の開口縁には、本体ケース１における背面側の上部に本体ケースにおける背面側から前面側へ伸びる突起部２６を備えている。充電池１４は、この突起部２６と収納部との間に仮固定されることを特徴とするものである。
【００３３】
基板部２０に近い本体ケース１における前面側ではなく、基板部２０から遠い本体ケース１における背面側に突起部２６を設けたので、突起部２６は、基板部２０の回路部品の発熱による温度上昇が小さい。すなわち、基板部２０の回路部品の発熱が、突起部２６を介して、充電池１４に伝わることを抑制できる。
【００３４】
基板部２０は、四角形状の第１の基板部２７と、この第１の基板部２７の端部から外方へ伸びた第２の基板部２８とから形成している。この第２の基板部２８は、第１の基板部２７より面積が小さく、回路基板側接続部１９のみを装着したものである。
【００３５】
このように、回路基板側接続部１９のみを、第１の基板部２７から離すことにより、第１の基板部２７と、収納部１６との距離が更に大きくなり、基板部２０の回路部品の発熱によって、収納部１６が暖められるのを抑制できる。
【産業上の利用可能性】
【００３６】
以上のように本発明は、吹出口と吸込口とを設けた横長箱形状の本体ケースと、この本体ケース内に前記吸込口から前記吹出口に送風する送風手段と、放電生成物を発生させる放電生成物発生手段と、家庭用電源から充電する充放電手段と、この充放電手段から前記送風手段と前記放電生成物発生手段とに印加する電圧を制御する回路基板部とを備え、前記充放電手段は、前記本体ケースの長手方向の一方側側面において前記本体ケースが内方へ窪んだ収納部に設けられ、この収納部には、前記収納部と前記本体ケース内とを連通する連通孔と、前記収納部に前記充放電手段を収納した状態で前記収納部を覆う収納蓋部とを備え、前記充放電手段は、充放電する充電池と、前記充電池と前記回路基板部とを電気的に接続する充電池側接続部とからなり、前記回路基板部は、複数の回路部品と、前記充電池側接続部と前記回路基板部とを電気的に接続する回路基板側接続部と、この回路基板側接続部と前記回路部品を装着した基板部とからなり、前記送風手段は、送風部と、この送風部から伸びた平板形状の遮蔽板とからなり、前記回路基板側接続部が前記連通孔から前記収納部内に突出すると共に、前記連通孔は、前記回路基板部と前記遮蔽板とによって塞がれる。
【００３７】
これにより、回路部品と充電池との発熱の影響を抑制し、耐久性の更なる向上を目的とするものである。
【００３８】
すなわち、回路基板部は、複数の回路部品と、充電池側接続部と回路基板部とを電気的に接続する回路基板側接続部と、この回路基板側接続部と回路部品を装着した基板部とからなり、送風手段は、送風部と、この送風部から伸びた平板形状の遮蔽板とからなり、回路基板側接続部が連通孔から収納部内に突出すると共に、連通孔は、回路基板部と遮蔽板とによって塞がれる。
【００３９】
結果として、回路基板部と充電池とを連通する連通孔が、回路基板部と遮蔽部とによって塞がれるので、回路基板部の発熱によって暖められた空気が、連通孔を介して充電池へ流れ込むのを抑制すると共に、充電池の発熱によって暖められた空気が、連通孔を介して回路基板部へ流れ込むのを抑制し、回路部品と充電池との発熱の影響を抑制することができる。
【００４０】
従って、家庭用、事務所用などの、放電生成物装置として活用が期待されるものである。
【符号の説明】
【００４１】
１    本体ケース
２    送風手段
３    放電生成物発生手段
４    充放電手段
５    回路基板部
６    吹出口
７    吸込口
８    放電生成物発生部
９    回路部
１０  連通路
１１  放電電極
１２  対向電極
１３  ペルチェ素子
１４  充電池
１５  収納蓋部
１６  収納部
１７  連通孔
１８  充電池側接続部
１９  回路基板側接続部
２０  基板部
２１  遮蔽板
２２  ケーシング部
２３  モータ部
２４  羽根部
２５  窪み部
２６  突起部
２７  第１の基板部
２８  第２の基板部
２９  送風部
３０  電源プラグ部
【図１】
2014033759.tif 000003
【図２】
2014033759.tif 000004
【図３】
2014033759.tif 000005
【図４】
2014033759.tif 000006
【図５】
2014033759.tif 000007
【図６】
2014033759.tif 000008